(57)【要約】【課題】  受注者の視点で情報を統合化するＣＡＬＳ／ＥＣ「受発注者間の情報共有システム」の統合化方式，方法およびプログラムを提供する。【解決手段】  入力装置１１は、情報利活用手段１６に情報利活用要求を行い、情報利活用の内容や条件等を入力する。情報利活用手段１６は、情報一元化管理装置１３に対象データの要求を行う。情報一元化管理装置１３は、接続インターフェース手段１２を介して情報共有サーバに対象となる情報の取得要求を行う。また、情報一元化管理装置１３は、ローカル情報蓄積装置１５に対象となる情報の取得要求を行う。情報一元化管理装置１３は、取得した情報を一元化した状態で情報利活用手段１６に返す。情報利活用手段１６は、取得した情報を入力装置１１から要求された内容に基づき加工して出力装置１７に表示する。【選択図】      図１
2005071220.tif 000002
【特許請求の範囲】
【請求項１】
発注者の発注者端末を接続し受注者端末が受注した前記発注者の工事情報を格納する複数の情報共有サーバと、
前記複数の情報共有サーバから前記発注者の工事情報を取得して情報の統合化を行う情報統合化機構を有する受注者端末と、
前記受注者端末と前記発注者端末と前記情報共有サーバとを接続するネットワークと、
を備えるＣＡＬＳ／ＥＣ「受発注者間の情報共有システム」の統合化方式。
【請求項２】
発注者の発注者端末を接続し受注者端末が受注した前記発注者の工事情報を格納する複数の情報共有サーバと、
前記複数の情報共有サーバから前記発注者の工事情報を取得して情報の統合化を行う情報統合化機構を有するＡＳＰ事業者サーバと、
前記ＡＳＰ事業者サーバにアクセスして要求を入力し前記ＡＳＰ事業者サーバからの要求結果を出力する受注者端末と、
前記受注者端末と前記発注者端末と前記情報共有サーバとを接続するネットワークと、
を備えるＣＡＬＳ／ＥＣ「受発注者間の情報共有システム」の統合化方式。
【請求項３】
前記情報統合化機構は、
前記情報共有サーバ毎に各情報共有サーバに応じた手順で前記複数の情報共有サーバとセッションを確率する接続インターフェース手段と、
情報利活用手段から要求された情報を前記接続インターフェース手段を介して前記複数の情報共有サーバから取得し取得した情報を一元化して前記情報利活用手段に返す情報一元化管理装置と、
前記情報一元化管理装置に要求し取得した情報を前記入力装置が要求した内容に基づき加工する情報利活用手段と、を含む、
ことを特徴とする請求項１または請求項２記載のＣＡＬＳ／ＥＣ「受発注者間の情報共有システム」の統合化方式。
【請求項４】
前記ネットワークに接続しない発注者端末を備え、
前記情報統合化機構は、
前記複数の情報共有サーバおよび前記ネットワークに接続されていない発注者端末から取得した情報を一元化する手段を有する、
ことを特徴とする請求項１または請求項２記載のＣＡＬＳ／ＥＣ「受発注者間の情報共有システム」の統合化方式。
【請求項５】
前記ＡＳＰ事業者サーバは、
前記受注者端末に課金する手段を有する、
ことを特徴とする請求項２記載のＣＡＬＳ／ＥＣ「受発注者間の情報共有システム」の統合化方式。
【請求項６】
発注者が操作する発注者端末と受注者が操作する受注者端末とを含み前記発注者端末を接続し前記受注者が受注した前記発注者の工事情報を格納する情報共有サーバを複数有するＣＡＬＳ／ＥＣ「受発注者間の情報共有システム」の統合化方法であって、
前記受注者端末は、
前記情報共有サーバ毎に各情報共有サーバに応じた手順で前記複数の情報共有サーバとセッションを確立し、
前記複数の情報共有サーバから情報を取得し、
前記取得した情報を一元化し、
前記一元化した情報を加工する、
ことを特徴とするＣＡＬＳ／ＥＣ「受発注者間の情報共有システム」の統合化方法。
【請求項７】
前記受注者端末は、
前記複数の情報共有サーバおよびスタンドアロン使用の発注者端末から情報を取得し、
前記取得した情報を一元化する、
ことを特徴とする請求項６記載のＣＡＬＳ／ＥＣ「受発注者間の情報共有システム」の統合化方法。
【請求項８】
発注者が操作する発注者端末と受注者が操作する受注者端末と前記受注者端末を接続するＡＳＰ事業者サーバとを含み前記発注者端末を接続し前記受注者が受注した前記発注者の工事情報を格納する情報共有サーバを複数有するＣＡＬＳ／ＥＣ「受発注者間の情報共有システム」の統合化方法であって、
前記受注者端末は、
前記ＡＳＰ事業者サーバにアクセスして要求を入力し、
前記ＡＳＰ事業者サーバは、
前記情報共有サーバ毎に各情報共有サーバに応じた手順で前記複数の情報共有サーバとセッションを確立し、
前記複数の情報共有サーバから情報を取得し、
前記取得した情報を一元化し、
前記一元化した情報を前記要求に基づき加工して前記受注者端末に送信し、
前記受注者端末は、
前記要求結果を受信して出力する、
ことを特徴とするＣＡＬＳ／ＥＣ「受発注者間の情報共有システム」の統合化方法。
【請求項９】
前記ＡＳＰ事業者サーバは、
前記複数の情報共有サーバおよびスタンドアロン使用の発注者端末から情報を取得し、
前記取得した情報を一元化する、
ことを特徴とする請求項８記載のＣＡＬＳ／ＥＣ「受発注者間の情報共有システム」の統合化方法。
【請求項１０】
前記ＡＳＰ事業者サーバは、
前記受注者端末に課金する、
ことを特徴とする請求項８記載のＣＡＬＳ／ＥＣ「受発注者間の情報共有システム」の統合化方法。
【請求項１１】
発注者が操作する発注者端末と受注者が操作する受注者端末とを含み前記発注者端末を接続し前記受注者が受注した前記発注者の工事情報を格納する情報共有サーバを複数有するＣＡＬＳ／ＥＣ「受発注者間の情報共有システム」の統合化プログラムであって、
コンピュータに、
前記受注者端末が、
前記情報共有サーバ毎に各情報共有サーバに応じた手順で前記複数の情報共有サーバとセッションを確立する機能、
前記複数の情報共有サーバから情報を取得する機能、
前記取得した情報を一元化する機能、
前記一元化した情報を加工する機能、
を実現させるためのＣＡＬＳ／ＥＣ「受発注者間の情報共有システム」の統合化プログラム。
【請求項１２】
前記受注者端末が、
前記複数の情報共有サーバおよびスタンドアロン使用の発注者端末から情報を取得する機能、
前記取得した情報を一元化する機能、
を実現させるための請求項１１記載のＣＡＬＳ／ＥＣ「受発注者間の情報共有システム」の統合化プログラム。
【請求項１３】
発注者が操作する発注者端末と受注者が操作する受注者端末と前記受注者端末を接続するＡＳＰ事業者サーバとを含み前記発注者端末を接続し前記受注者が受注した前記発注者の工事情報を格納する情報共有サーバを複数有するＣＡＬＳ／ＥＣ「受発注者間の情報共有システム」の統合化プログラムであって、
コンピュータに、
前記受注者端末が、
前記ＡＳＰ事業者サーバにアクセスして要求を入力する機能、
前記ＡＳＰ事業者サーバが、
前記情報共有サーバ毎に各情報共有サーバに応じた手順で前記複数の情報共有サーバとセッションを確立する機能、
前記複数の情報共有サーバから情報を取得する機能、
前記取得した情報を一元化する機能、
前記一元化した情報を前記要求に基づき加工して前記受注者端末に送信する機能、
前記受注者端末が、
前記要求結果を受信して出力する機能、
を実現させるためのＣＡＬＳ／ＥＣ「受発注者間の情報共有システム」の統合化プログラム。
【請求項１４】
前記ＡＳＰ事業者サーバが、
前記複数の情報共有サーバおよびスタンドアロン使用の発注者端末から情報を取得する機能、
前記取得した情報を一元化する機能、
を実現させるための請求項１３記載のＣＡＬＳ／ＥＣ「受発注者間の情報共有システム」の統合化プログラム。
【請求項１５】
前記ＡＳＰ事業者サーバが、
前記受注者端末に課金する機能、
を実現させるための請求項１３記載のＣＡＬＳ／ＥＣ「受発注者間の情報共有システム」の統合化プログラム。
【発明の詳細な説明】
【技術分野】
【０００１】
本発明は、ＣＡＬＳ／ＥＣ「受発注者間の情報共有システム」の統合化方式，方法およびプログラムに関し、特に、受注者の視点で情報を統合化するＣＡＬＳ／ＥＣ「受発注者間の情報共有システム」の統合化方式，方法およびプログラムに関する。
【背景技術】
【０００２】
従来の受発注者間の取引を行うシステムの一例として、特許文献１には、仲介サーバは、発注企業端末からの発注情報を発注データベースに蓄積し、受注企業端末からのリソース情報をリソースデータベースに蓄積し、発注側と受注側の双方の条件が適合する入札テーブルを作成し、発注企業端末および受注企業端末に選択的に送信する。入札テーブルの内容で契約を行う旨の返事が双方から得られた場合には、仲介サーバは発注データベースから案件を削除し、リソースデータベースからその案件に引き当てられるリソース情報を削除する設計外注仲介システムが公開されている。
【０００３】
また、特許文献２には、通信回線を介して複数の発注者の発注端末および複数の受注者の受注端末と通信し電子商取引を仲介する取引仲介サーバを備え、予めこうした受注者や発注者等の多くの企業の間でアライアンスを組み、一元化された電子商取引のメンバである参加企業として登録し、受注側は受注を行う商品やサービス等の情報である商品情報を取引仲介サイトに登録して発注者からの発注を受け付け、取引仲介業者は取引仲介サーバを用いて取引仲介サイトを管理してメンバである複数の受注者と複数の発注者との間における商品やサービスの卸を行う電子商取引システムが公開されている。
【０００４】
最近、建設事業者においては、「ＣＡＬＳ／ＥＣ（公共事業支援統合情報システム）」の対応が求められている。
【０００５】
図８に、財団法人日本建設情報総合センター（ＪＡＣＩＣ）から平成１５年１月１７日に提言された「工事施工中における受発注者間の情報共有システム機能要件（案）」における情報共有システムのイメージ図を掲載する（出典：工事施工中における受発注者間の情報共有システム  機能要件（案）（Ｒｅｖ０．９：ＪＡＣＩＣ））。
【０００６】
図９に、情報共有システムが進展した様子を図示する（一部：図８を転用）。図９を参照すると、発注者の視点で情報を捉えた場合、全ての工事情報が情報共有サーバに一元的に管理されている。
【０００７】
例えば、受注者ａが発注者ａと発注者ｃと発注者ｅの工事を施工し、受注者ｂが発注者ｃと発注者ｄの工事を施工した場合、
情報共有サーバａには、
・受注者ａが発注者ａから受注した工事情報、等が格納され、
情報共有サーバｂには、
・受注者ａが発注者ｃから受注した工事情報、
・受注者ｂが発注者ｃから受注した工事情報、
・受注者ｂが発注者ｄから受注した工事情報、等が格納されている。
【０００８】
このように、情報共有サーバに格納される情報とは、受発注者間に係わる情報であり、例記したように発注者の視点では必ず一元化されている。例えば、発注者ｃ端末は、情報共有サーバｂ上で、受注者ａと受注者ｂの情報が一元管理できている。
【０００９】
受注者の視点で情報を捉えた場合には、例えば、受注者ａが発注者ａと発注者ｃと発注者ｅの工事を施工しようとすると、受注者ａ端末は、発注者ａ端末と情報共有を行うために情報共有サーバａをアクセスし、発注者ｃ端末と情報共有を行うために情報共有サーバｂをアクセスし、また、発注者ｅ端末と別途情報交換を行っている。受注者ａ端末の操作者は、情報共有サーバａや情報共有サーバｂにアクセスするために、また、発注者ｅ端末と情報交換を行うために、それぞれ異なる手順で操作を行っている。
【００１０】
【特許文献１】特開２００２−２８８４６５号公報
【００１１】
【特許文献２】特開２００２−４１８４１号公報
【発明の開示】
【発明が解決しようとする課題】
【００１２】
しかしながら、上記の背景技術では、以下のような問題点がある。
【００１３】
ＣＡＬＳ／ＥＣ「受発注者間の情報共有システム」において、受注者の視点で情報を捉えた場合には、複数の情報共有サーバに情報が分散してしまっていることである。例えば、受注者ａが発注者ａと発注者ｃと発注者ｅの工事を施工しようとすると、受注者ａ端末は、発注者ａ端末と情報共有を行うために情報共有サーバａをアクセスし、発注者ｃ端末と情報共有を行うために情報共有サーバｂをアクセスする必要がある。また、発注者ｅ端末と別途情報交換を行う必要がある。
【００１４】
更に、それぞれ異なる手順で操作を行わなければならないことである。
【００１５】
本発明の目的は、上記の問題点を解決し、同じ手順で複数の情報共有システムにアクセスし一元管理された情報を利活用するＣＡＬＳ／ＥＣ「受発注者間の情報共有システム」の統合化方式，方法およびプログラムを提供することにある。
【課題を解決するための手段】
【００１６】
本願第１の発明のＣＡＬＳ／ＥＣ「受発注者間の情報共有システム」の統合化方式は、発注者の発注者端末を接続し受注者端末が受注した前記発注者の工事情報を格納する複数の情報共有サーバと、前記複数の情報共有サーバから前記発注者の工事情報を取得して情報の統合化を行う情報統合化機構を有する受注者端末と、前記受注者端末と前記発注者端末と前記情報共有サーバとを接続するネットワークと、を備える。
【００１７】
本願第２の発明のＣＡＬＳ／ＥＣ「受発注者間の情報共有システム」の統合化方式は、発注者の発注者端末を接続し受注者端末が受注した前記発注者の工事情報を格納する複数の情報共有サーバと、前記複数の情報共有サーバから前記発注者の工事情報を取得して情報の統合化を行う情報統合化機構を有するＡＳＰ事業者サーバと、前記ＡＳＰ事業者サーバにアクセスして要求を入力し前記ＡＳＰ事業者サーバからの要求結果を出力する受注者端末と、前記受注者端末と前記発注者端末と前記情報共有サーバとを接続するネットワークと、を備える。
【００１８】
本願第３の発明のＣＡＬＳ／ＥＣ「受発注者間の情報共有システム」の統合化方式は、第１または第２の発明において前記情報統合化機構は、前記情報共有サーバ毎に各情報共有サーバに応じた手順で前記複数の情報共有サーバとセッションを確率する接続インターフェース手段と、情報利活用手段から要求された情報を前記接続インターフェース手段を介して前記複数の情報共有サーバから取得し取得した情報を一元化して前記情報利活用手段に返す情報一元化管理装置と、前記情報一元化管理装置に要求し取得した情報を前記入力装置が要求した内容に基づき加工する情報利活用手段と、を含む、ことを特徴とする。
【００１９】
本願第４の発明のＣＡＬＳ／ＥＣ「受発注者間の情報共有システム」の統合化方式は、第１または第２の発明において前記ネットワークに接続しない発注者端末を備え、前記情報統合化機構は、前記複数の情報共有サーバおよび前記ネットワークに接続されていない発注者端末から取得した情報を一元化する手段を有する。
【００２０】
本願第５の発明のＣＡＬＳ／ＥＣ「受発注者間の情報共有システム」の統合化方式は、第２の発明において前記ＡＳＰ事業者サーバは、前記受注者端末に課金する手段を有する。
【００２１】
本願第６の発明のＣＡＬＳ／ＥＣ「受発注者間の情報共有システム」の統合化方法は、発注者が操作する発注者端末と受注者が操作する受注者端末とを含み前記発注者端末を接続し前記受注者が受注した前記発注者の工事情報を格納する情報共有サーバを複数有するＣＡＬＳ／ＥＣ「受発注者間の情報共有システム」の統合化方法であって、前記受注者端末は、前記情報共有サーバ毎に各情報共有サーバに応じた手順で前記複数の情報共有サーバとセッションを確立し、前記複数の情報共有サーバから情報を取得し、前記取得した情報を一元化し、前記一元化した情報を加工する、ことを特徴とする。
【００２２】
本願第７の発明のＣＡＬＳ／ＥＣ「受発注者間の情報共有システム」の統合化方法は、第６の発明において前記受注者端末は、前記複数の情報共有サーバおよびスタンドアロン使用の発注者端末から情報を取得し、前記取得した情報を一元化する、ことを特徴とする。
【００２３】
本願第８の発明のＣＡＬＳ／ＥＣ「受発注者間の情報共有システム」の統合化方法は、発注者が操作する発注者端末と受注者が操作する受注者端末と前記受注者端末を接続するＡＳＰ事業者サーバとを含み前記発注者端末を接続し前記受注者が受注した前記発注者の工事情報を格納する情報共有サーバを複数有するＣＡＬＳ／ＥＣ「受発注者間の情報共有システム」の統合化方法であって、前記受注者端末は、前記ＡＳＰ事業者サーバにアクセスして要求を入力し、前記ＡＳＰ事業者サーバは、前記情報共有サーバ毎に各情報共有サーバに応じた手順で前記複数の情報共有サーバとセッションを確立し、前記複数の情報共有サーバから情報を取得し、前記取得した情報を一元化し、前記一元化した情報を前記要求に基づき加工して前記受注者端末に送信し、前記受注者端末は、前記要求結果を受信して出力する、ことを特徴とする。
【００２４】
本願第９の発明のＣＡＬＳ／ＥＣ「受発注者間の情報共有システム」の統合化方法は、第８の発明において前記ＡＳＰ事業者サーバは、前記複数の情報共有サーバおよびスタンドアロン使用の発注者端末から情報を取得し、前記取得した情報を一元化する、ことを特徴とする。
【００２５】
本願第１０の発明のＣＡＬＳ／ＥＣ「受発注者間の情報共有システム」の統合化方法は、第８の発明において前記ＡＳＰ事業者サーバは、前記受注者端末に課金する、ことを特徴とする。
【００２６】
本願第１１の発明のＣＡＬＳ／ＥＣ「受発注者間の情報共有システム」の統合化プログラムは、発注者が操作する発注者端末と受注者が操作する受注者端末とを含み前記発注者端末を接続し前記受注者が受注した前記発注者の工事情報を格納する情報共有サーバを複数有するＣＡＬＳ／ＥＣ「受発注者間の情報共有システム」の統合化プログラムであって、コンピュータに、前記受注者端末が、前記情報共有サーバ毎に各情報共有サーバに応じた手順で前記複数の情報共有サーバとセッションを確立する機能、前記複数の情報共有サーバから情報を取得する機能、前記取得した情報を一元化する機能、前記一元化した情報を加工する機能、を実現させる。
【００２７】
本願第１２の発明のＣＡＬＳ／ＥＣ「受発注者間の情報共有システム」の統合化プログラムは、第１１の発明において前記受注者端末が、前記複数の情報共有サーバおよびスタンドアロン使用の発注者端末から情報を取得する機能、前記取得した情報を一元化する機能、を実現させる。
【００２８】
本願第１３の発明のＣＡＬＳ／ＥＣ「受発注者間の情報共有システム」の統合化プログラムは、発注者が操作する発注者端末と受注者が操作する受注者端末と前記受注者端末を接続するＡＳＰ事業者サーバとを含み前記発注者端末を接続し前記受注者が受注した前記発注者の工事情報を格納する情報共有サーバを複数有するＣＡＬＳ／ＥＣ「受発注者間の情報共有システム」の統合化プログラムであって、コンピュータに、前記受注者端末が、前記ＡＳＰ事業者サーバにアクセスして要求を入力する機能、前記ＡＳＰ事業者サーバが、前記情報共有サーバ毎に各情報共有サーバに応じた手順で前記複数の情報共有サーバとセッションを確立する機能、前記複数の情報共有サーバから情報を取得する機能、前記取得した情報を一元化する機能、前記一元化した情報を前記要求に基づき加工して前記受注者端末に送信する機能、前記受注者端末が、前記要求結果を受信して出力する機能、を実現させる。
【００２９】
本願第１４の発明のＣＡＬＳ／ＥＣ「受発注者間の情報共有システム」の統合化プログラムは、第１３の発明において前記ＡＳＰ事業者サーバが、前記複数の情報共有サーバおよびスタンドアロン使用の発注者端末から情報を取得する機能、前記取得した情報を一元化する機能、を実現させる。
【００３０】
本願第１５の発明のＣＡＬＳ／ＥＣ「受発注者間の情報共有システム」の統合化プログラムは、第１３の発明において前記ＡＳＰ事業者サーバが、前記受注者端末に課金する機能、を実現させる。
【発明の効果】
【００３１】
第１の効果は、複数存在する情報共有システムに同じ手続き、手順でセッション確立までが行える点である。
【００３２】
その理由は、情報統合化機構を設け、情報統合化機構に接続インターフェース手段を含むようにしたからである。
【００３３】
第２の効果は、情報共有システム開設前の発注者の工事情報や情報共有対象外の民間工事情報もシステム内部にローカル情報として蓄積・管理できる点である。
【００３４】
その理由は、情報統合化機構を設け、情報統合化機構にローカル情報登録・修正手段およびローカル情報蓄積装置を含むようにしたからである。
【００３５】
第３の効果は、受発注者の視点で見た場合に物理的に分散されている情報が、あたかも一元管理されているように情報収集ができ、これらを活用できる点である。
【００３６】
その理由は、情報統合化機構を設け、情報統合化機構に情報一元化管理装置および情報利活用手段を含むようにしたからである。
【発明を実施するための最良の形態】
【００３７】
本発明は、財団法人日本建設情報総合センター（ＪＡＣＩＣ）から平成１５年１月１７日に提言された「工事施工中における受発注者間の情報共有システム機能要件（案）」に準じて作成される「受発注者間の情報共有システム（以下、情報共有システムと言う）」を、受注者の視点で統合化し、受注者側で一元的に全ての工事情報を管理することを特徴としている。
【００３８】
次に、本発明を実施するための最良の形態について、図面を参照して詳細に説明する。
図１は、本発明を実施するための最良の形態の全体の構成を示す図である。
【００３９】
図１を参照すると、本発明を実施するための最良の形態は、受注者ａ端末１と、受注者ｂ端末２と、発注者ａ端末３と、発注者ｂ端末４と、発注者ｃ端末５と、発注者ｄ端末６と、発注者ｅ端末７と、情報共有サーバａ８と、情報共有サーバｂ９と、ネットワーク１０と、を有している。なお、受注者端末と発注者端末と情報共有サーバの個数に制約はない。
【００４０】
受注者ａ端末１〜受注者ｂ端末２は、受注者が使用する装置で、プログラム制御で動作するパーソナルコンピュータ等の情報処理装置である。本例では、受注者ａ端末１は受注者ａが使用し、受注者ｂ端末２は受注者ｂが使用する。
【００４１】
発注者ａ端末３〜発注者ｅ端末７は、発注者が使用する装置で、プログラム制御で動作するパーソナルコンピュータ等の情報処理装置である。本例では、発注者ａ端末３は発注者ａが使用し、発注者ｂ端末４は発注者ｂが使用し、…、発注者ｅ端末７は発注者ｅが使用する。
【００４２】
情報共有サーバａ８は、プログラム制御で動作するサーバ等の情報処理装置であり、発注者の視点で情報を捉えた場合に発注者ａ端末３〜発注者ｂ端末４が必要とする全ての工事情報を一元的に管理する。情報共有サーバａ８は、発注者ａ端末３〜発注者ｂ端末４と共に情報共有システムａ２０を形成する。
【００４３】
情報共有サーバｂ９は、プログラム制御で動作するサーバ等の情報処理装置であり、発注者の視点で情報を捉えた場合に発注者ｃ端末５〜発注者ｄ端末６が必要とする全ての工事情報を一元的に管理する。情報共有サーバｂ９は、発注者ｃ端末５〜発注者ｄ端末６と共に情報共有システムｂ３０を形成する。
【００４４】
例えば、受注者ａが発注者ａと発注者ｃと発注者ｅの工事を施工し、受注者ｂが発注者ｃと発注者ｄの工事を施工した場合、情報共有サーバａ８には、受注者ａが発注者ａから受注した工事情報等が格納され、情報共有サーバｂ９には、受注者ａが発注者ｃから受注した工事情報，受注者ｂが発注者ｃから受注した工事情報および受注者ｂが発注者ｄから受注した工事情報等が格納されている。
【００４５】
ネットワーク１０は、インターネット等の通信網であり、受注者ａ端末１〜受注者ｂ端末２と発注者ａ端末３〜発注者ｄ端末６と情報共有サーバａ８〜情報共有サーバｂ９を互いに接続する。発注者ｅ端末７は、ネットワーク１０に接続されていない。
【００４６】
受注者ａ端末１は、入力装置１１と、接続インターフェース手段１２と、情報一元化管理装置１３と、ローカル情報登録・修正手段１４と、ローカル情報蓄積装置１５と、情報利活用手段１６と、出力装置１７と、を含んでいる。入力装置１１と接続インターフェース手段１２と情報一元化管理装置１３とローカル情報登録・修正手段１４とローカル情報蓄積装置１５と情報利活用手段１６と出力装置１７とから成るものを情報統合化機構と称する。なお、受注者ｂ端末２も同様の構成である。
【００４７】
入力装置１１は、キーボード並びにマウスなどのポインティングデバイスを含み、操作者の機能要求を入力し、入力した機能要求を接続インターフェース手段１２，ローカル情報登録・修正手段１４，または情報利活用手段１６に送出する。また、入力装置１１は、ネットワーク１０に接続されていない（スタンドアロンで使用されている）発注者ｅ端末７から取得した工事情報（例えば、ＣＤ−Ｒ媒体等）や情報共有対象外の民間工事情報などのローカル管理する情報を入力し、ローカル情報登録・修正手段１４に送出する。また、入力装置１１は、情報利活用の内容、条件などを入力し、情報利活用手段１６に送出する。
【００４８】
接続インターフェース手段１２は、外部システムである情報共有サーバａ８ならびに情報共有サーバｂ９にアクセスする入出力インターフェースで、アプリケーション・プログラム・インターフェース（以下、ＡＰＩと称す）である。接続インターフェース手段１２は、情報共有サーバ毎にその情報共有サーバに応じた手順・プロトコル等でアクセスする。
【００４９】
情報一元化管理装置１３は、情報共有サーバ単位に分散した工事情報などを一元管理するための装置である。すなわち、情報共有サーバａ８ならびに情報共有サーバｂ９上に存在する工事情報などを一元管理する。情報一元化管理装置１３は、その機能実現上、データの実体は持っても、持たなくても構わない（いわゆるＲＤＢＭＳの仮想表でも実現可能である）。また、情報一元化管理装置１３は、ローカル情報蓄積装置１５に蓄積されている情報も一元管理の対象とする。情報一元化管理装置１３は、情報利活用手段１６から要求された情報を、接続インターフェース手段１２を介して情報共有サーバａ８または／および情報共有サーバｂ９から取得し、ローカル情報蓄積装置１５から取得し、取得した情報を一元化（統合化）した状態で情報利活用手段１６に返す。情報一元化管理装置１３は、情報利活用手段１６から要求された都度に情報共有サーバにアクセスして情報を取得してもよいし、予め情報共有サーバにアクセスして情報を取得して格納しておいてもよいし、情報共有サーバにアクセスして取得した情報を格納しておき情報共有サーバ側で更新のあった情報のみを取得するようにしてもよい。
【００５０】
ローカル情報登録・修正手段１４は、発注者側で情報共有を行っていない場合の（情報共有システム未実施の発注者に関する）工事情報（本例では、発注者ｅ端末７上に存在する工事情報）や情報共有対象外の民間工事情報などの工事情報をローカル情報としてローカル情報蓄積装置１５に登録し、修正する。
【００５１】
ローカル情報蓄積装置１５は、ローカル情報を蓄積するための記憶装置である。
【００５２】
情報利活用手段１６は、情報一元化管理装置１３によって一元管理された工事情報を使って受注者に有益な情報を提供するプログラム群である。例えば、
・直前三年の各営業年度における工事施工金額集計表の作表、
・技術者別工事経歴一覧表作表、
・入札結果一覧表作表、など工事全体の経歴についてサマリー・統計処理などを行う。情報利活用手段１６は、情報一元化管理装置１３に要求し取得した情報を、入力装置１１から要求された内容に基づき加工し、出力装置１７に送出する。
【００５３】
出力装置１７は、機能要求結果などを出力する装置で、ディスプレイ装置等である。
【００５４】
次に、本発明を実施するための最良の形態の動作について、図４〜図８を参照して詳細に説明する。
図２は、情報統合化機構の体系を説明する図である。
図３は、情報共有サーバとのセッション確立を説明する図である。
図４は、ローカル情報の登録を説明する図である。
図５は、ローカル情報の修正を説明する図である。
図６は、情報利活用を説明する図である。
【００５５】
最初に、情報共有サーバとのセッション確立について、図３を参照して説明する。本例では、情報共有サーバａ８とセッションを確立するものとする
入力装置１１から接続インターフェース手段１２に情報共有サーバへのセッション確立要求を行う（図３の（１）)。
【００５６】
入力装置１１がセッション確立先を選択すると、接続インターフェース手段１２は選択された情報共有サーバａ８へのセッション確立要求を行う（図３の（２））。
【００５７】
セッションが確立（もしくは確立失敗）すると接続インターフェース手段１２を介して（図３の（３）)、セッション確立状況を出力装置１７に表示する（図３の（４））。
【００５８】
情報共有サーバａ８へのセッション確立後は、情報共有サーバａ８が持つユーザインターフェース（操作性）に従い、操作する。
【００５９】
次に、ローカル情報の登録について、図４を参照して説明する。
【００６０】
入力装置１１からローカル情報登録・修正手段１４にローカル情報の登録要求を行う。
【００６１】
工事情報などローカル管理する情報を入力装置１１から入力する（図４の（１）)。
【００６２】
ローカル情報登録・修正手段１４は、入力された内容をローカル情報蓄積装置１５に登録する（図４の（２）)。
【００６３】
ローカル情報登録・修正手段１４は、ローカル情報蓄積装置１５への登録結果を出力装置１７に表示する（図４の（３）)。
【００６４】
次に、ローカル情報の修正について、図５を参照して説明する。
【００６５】
入力装置１１からローカル情報登録・修正手段１４にローカル情報の修正要求を行う。
【００６６】
修正対象となるローカル情報を読み込むためのキー情報を入力装置１１から入力する（図５の（１）)。
【００６７】
ローカル情報登録・修正手段１４は、入力されたキー情報で、ローカル情報蓄積装置１５に存在するローカル情報を検索する（図５の（２）)。
【００６８】
検索結果をローカル情報登録・修正手段１４に戻し（図５の（３））、出力装置１７に表示する（図５の（４））。
【００６９】
修正情報を入力装置１１から入力する（図５の（５））。
【００７０】
ローカル情報登録・修正手段１４は、入力された内容で、ローカル情報蓄積装置１５にある情報を更新する（図５の（６））。
【００７１】
ローカル情報登録・修正手段１４は、ローカル情報蓄積装置１５への修正結果を出力装置１７に表示する（図５の（７））。
【００７２】
次に、情報利活用について、図６を参照して説明する。
【００７３】
入力装置１１から情報利活用手段１６に情報利活用要求を行う。
【００７４】
情報利活用の内容、条件などを入力装置１１から入力する（図６の（１）)。
【００７５】
情報利活用手段１６は、情報一元化管理装置１３に対象データの要求を行う（図６の（２）)。
【００７６】
情報一元化管理装置１３は、接続インターフェース手段１２を介して（図６の（３））情報共有サーバに対象となる情報の取得要求を行う（図６の（４）)。
【００７７】
情報共有サーバは対象データを接続インターフェース手段１２を介して（図６の（５）)、情報一元化管理装置１３に返す（図６の（６）)。
【００７８】
情報一元化管理装置１３は、ローカル情報蓄積装置１５に対象となる情報の取得要求を行う（図６の（７）)。
【００７９】
ローカル情報蓄積装置１５は対象データを、情報一元化管理装置１３に返す（図６の（８）)。
【００８０】
情報一元化管理装置１３は、受注者の要求した情報を一元化した状態で情報利活用手段１６に返す（図６の（９）)。
【００８１】
情報利活用手段１６は、取得した情報を入力装置１１から要求された内容に基づき加工し、出力装置１７に出力する（図６の（１０）)。
【００８２】
最後に、受注者ａが自己の受注した発注者の工事情報の情報利活用を行う場合の受注者ａ端末１の動作について説明する。なお、受注者ａが発注者ａと発注者ｃと発注者ｅの工事を施工し、情報共有サーバａ８に受注者ａが受注した発注者ａの工事情報が格納され、情報共有サーバｂ９に受注者ａが受注した発注者ｃの工事情報が格納されているものとする。また、発注者ｅの工事情報はローカル情報登録・修正手段１４を使用して既にローカル情報蓄積装置１５に登録されているものとする。
【００８３】
入力装置１１から接続インターフェース手段１２に情報共有サーバへのセッション確立要求を行い、入力装置１１がセッション確立先に情報共有サーバａ８および情報共有サーバｂ９を選択する。
【００８４】
接続インターフェース手段１２は、選択された情報共有サーバａ８および情報共有サーバｂ９とのセッションを確立する。
【００８５】
入力装置１１から情報利活用手段１６に情報利活用要求を行い、情報利活用の内容や条件など（本例では、発注者ａと発注者ｃと発注者ｅの工事情報の取得）を入力装置１１から入力する。
【００８６】
情報利活用手段１６は、情報一元化管理装置１３に対象データ（本例では、発注者ａと発注者ｃと発注者ｅの工事情報）の要求を行う。
【００８７】
情報一元化管理装置１３は接続インターフェース手段１２を介して情報共有サーバａ８に対して発注者ａの工事情報および情報共有サーバｂ９に発注者ｃの工事情報の取得要求を行う。
【００８８】
情報共有サーバａ８は発注者ａの工事情報を、および情報共有サーバｂ９は発注者ｃの工事情報を、接続インターフェース手段１２を介して情報一元化管理装置１３に返す。
【００８９】
情報一元化管理装置１３は、ローカル情報蓄積装置１５に発注者ｅの工事情報の取得要求を行い、ローカル情報蓄積装置１５は発注者ｅの工事情報を情報一元化管理装置１３に返す。
【００９０】
情報一元化管理装置１３は、受け取った発注者ａと発注者ｃと発注者ｅの工事情報を一元化（統合化）して情報利活用手段１６に返す。
【００９１】
情報利活用手段１６は、取得した一元化（統合化）された発注者ａと発注者ｃと発注者ｅの工事情報を入力装置１１から要求された形式に加工し、出力装置１７に出力する。
【００９２】
このように、受注者端末の操作者が情報統合化機構に要求を入力し、情報統合化機構が複数の情報共有システムとセッションを確立して情報を取得し取得した情報を統合化（一元化）して出力するので、受注者端末の操作者は複数の情報共有システムとのそれぞれ異なるセッション確立手続きを行う必要がない。また、複数存在する情報共有システム上の情報を受注者の視点で統合化するので、情報が統合化（一元化）された情報共有環境を提供することができる。また、一元化された情報を利活用できる環境が実現される。当システムによりデジタル情報の活用インフラが受注者の視点でも整えられ、その結果、受注者側のＩＴ化推進、業務改善（いわゆるＢＰＲ(Business Process Reengineering)）を促し、ＣＡＬＳ／ＥＣの進展にも大きく寄与する。
【００９３】
以上のことにより、情報共有を推進する受注企業側のメリットが飛躍的に向上し、ＣＡＬＳ／ＥＣにおける情報共有が推進される。
【００９４】
次に、本発明の他の実施の形態について、図面を参照して詳細に説明する。上述した実施の形態では受注者端末に情報統合化機構を設けているが、本実施の形態ではＡＳＰ（アプリケーション・サービス・プロパイダ）事業者サーバに情報共有システム共通ポータルサイトを構築し情報共有システム共通ポータルサイトに情報統合化機構を設けている点が異なる。
図７は、本発明の他の実施の形態の構成を示す図である。
【００９５】
図７を参照すると、本発明の他の実施の形態は、受注者ａ端末４１と、受注者ｂ端末４２と、発注者ａ端末３と、発注者ｂ端末４と、発注者ｃ端末５と、発注者ｄ端末６と、発注者ｅ端末７と、情報共有サーバａ８と、情報共有サーバｂ９と、ネットワーク１０と、ＡＳＰ事業者サーバ５０と、を有している。
【００９６】
ここでは、上述した実施の形態の図１と異なる受注者ａ端末４１と、受注者ｂ端末４２と、ＡＳＰ事業者サーバ５０とについて説明する。
【００９７】
受注者ａ端末４１は、受注者が使用する装置で、プログラム制御で動作するパーソナルコンピュータ等である。受注者ａ端末４１は、アクセス手段４１０と、入力装置４１１と、出力装置４１７と、を含む。なお、受注者ｂ端末４２も、受注者ａ端末４１と同様の構成である。
【００９８】
アクセス手段４１０は、ＡＳＰ事業者サーバ５０にアクセスして情報共有システム共通ポータルサイトの情報統合化機構に接続する機能などを有する。
【００９９】
入力装置４１１は、キーボード並びにマウスなどのポインティングデバイスを含み、操作者の機能要求を入力し、入力した機能要求をＡＳＰ事業者サーバ５０の入力手段５１に送信する。また、入力装置４１１は、ネットワーク１０に接続されていない発注者ｅ端末７から取得した工事情報などのローカル管理する情報を入力し、ＡＳＰ事業者サーバ５０の入力手段５１に送信する。
【０１００】
出力装置４１７は、ＡＳＰ事業者サーバ５０の出力手段５７から受信した機能要求結果などを表示するディスプレイ装置等である。
【０１０１】
ＡＳＰ事業者サーバ５０は、プログラム制御で動作するサーバ等の情報処理装置であり、情報共有システム共通ポータルサイトを構築し、情報共有サービス機能を提供する。ＡＳＰ事業者サーバ５０は、入力手段５１と、接続インターフェース手段５２と、情報一元化管理装置５３と、ローカル情報登録・修正手段５４と、ローカル情報蓄積装置５５と、情報利活用手段５６と、出力手段５７と、を含んでいる。情報統合化機構は、入力手段５１と接続インターフェース手段５２と情報一元化管理装置５３とローカル情報登録・修正手段５４とローカル情報蓄積装置５５と情報利活用手段５６と出力手段５７とから成る。
【０１０２】
各構成要素について説明する。
【０１０３】
接続インターフェース手段５２と情報一元化管理装置５３とローカル情報登録・修正手段５４とローカル情報蓄積装置５５と情報利活用手段５６とは、上述した実施の形態の図１の接続インターフェース手段１２と情報一元化管理装置１３とローカル情報登録・修正手段１４とローカル情報蓄積装置１５と情報利活用手段１６と同等である。
【０１０４】
入力手段５１は、入力装置４１１から受信した機能要求を接続インターフェース手段５２，ローカル情報登録・修正手段５４，または情報利活用手段５６に送出する。また、入力手段５１は、入力装置４１１から受信したローカル管理する情報をローカル情報登録・修正手段５４に送出する。
【０１０５】
出力手段５７は、機能要求結果などを受注者端末の出力装置４１７に送信する。
【０１０６】
次に、本発明の他の実施の形態の動作について説明する。
【０１０７】
先ず、受注者端末のアクセス手段４１０は、ＡＳＰ事業者サーバ５０にアクセスして情報共有システム共通ポータルサイトの情報統合化機構に接続する。
【０１０８】
次に、情報共有システムとのセッション確立について説明する。
【０１０９】
入力装置４１１から入力手段５１を介して、接続インターフェース手段５２へ情報共有サーバへのセッション確立要求を行う。
【０１１０】
入力装置４１１がセッション確立先を選択すると、接続インターフェース手段５２は選択された情報共有サーバへのセッション確立要求を行う。
【０１１１】
セッションが確立（もしくは確立失敗）すると接続インターフェース手段１２を介して、セッション確立状況を出力手段５７を介して出力装置４１７に表示する。
【０１１２】
情報共有サーバのセッション確立後は、個々の情報共有サーバが持つユーザインターフェース（操作性）に従い、操作する。
【０１１３】
次に、ローカル情報の登録について説明する。
【０１１４】
入力装置４１１から入力手段５１を介して、ローカル情報登録・修正手段５４にローカル情報の登録要求を行う。
【０１１５】
工事情報などローカル管理する情報を入力装置４１１から入力し、入力手段５１を介してローカル情報登録・修正手段５４に送る。
【０１１６】
ローカル情報登録・修正手段５４は、入力された内容をローカル情報蓄積装置５５に登録する。
【０１１７】
ローカル情報登録・修正手段５４は、ローカル情報蓄積装置５５への登録結果を出力手段５７を介して出力装置４１７に表示する。
【０１１８】
次に、ローカル情報の修正について説明する。
【０１１９】
入力装置４１１から入力手段５１を介して、ローカル情報登録・修正手段５４にローカル情報の修正要求を行う。
【０１２０】
修正対象となるローカル情報を読み込むためのキー情報を入力装置４１１から入力し、入力手段５１を介してローカル情報登録・修正手段５４に送る。
【０１２１】
ローカル情報登録・修正手段５４は、入力されたキー情報で、ローカル情報蓄積装置５５に存在するローカル情報を検索する。
【０１２２】
検索結果をローカル情報登録・修正手段５４に戻し、出力手段５７を介して出力装置４１７に表示する。
【０１２３】
修正情報を入力装置４１１から入力し、入力手段５１を介してローカル情報登録・修正手段５４に送る。
【０１２４】
ローカル情報登録・修正手段５４は、入力された内容で、ローカル情報蓄積装置５５にある情報を更新する。
【０１２５】
ローカル情報登録・修正手段５４は、ローカル情報蓄積装置５５への修正結果を出力手段５７を介して出力装置４１７に表示する。
【０１２６】
最後に、情報利活用について説明する。
【０１２７】
入力装置４１１から入力手段５１を介して、情報利活用手段５６に情報利活用要求を行う。
【０１２８】
情報利活用の内容、条件などを入力装置４１１から入力し、入力手段５１を介して情報利活用手段５６に送る。
【０１２９】
情報利活用手段５６は、情報一元化管理装置５３に対象データの要求を行う。
【０１３０】
情報一元化管理装置５３は、接続インターフェース手段５２を介して情報共有サーバに対象となる情報の取得要求を行う。
【０１３１】
情報共有サーバは対象データを接続インターフェース手段５２を介して情報一元化管理装置５３に返す。
【０１３２】
情報一元化管理装置５３は、ローカル情報蓄積装置５５に対象となる情報の取得要求を行う。
【０１３３】
ローカル情報蓄積装置５５は、対象データを情報一元化管理装置５３に返す。
【０１３４】
情報一元化管理装置５３は、受注者の要求した情報を一元化した状態で情報利活用手段５６に返す。
【０１３５】
情報利活用手段５６は、取得した情報を入力装置４１１から要求された内容に基づき加工し、出力手段５７を介して出力装置４１７に表示する。
【０１３６】
このとき、ＡＳＰ事業者サーバ５０は、課金手段（図示せず）を設け、サービスを利用する受注者端末に課金を行うようにしてもよい。
【０１３７】
本発明による上述した実施の形態において、ＣＡＬＳ／ＥＣ「受発注者間の情報共有システム」の統合化方式の処理動作を実行するためのプログラム等を、データとしてコンピュータの磁気ディスクや光ディスク等の記録媒体（図示せず）に記録するようにし、記録されたデータを読み出してＣＡＬＳ／ＥＣ「受発注者間の情報共有システム」の統合化方式を動作させるために用いる。このように、本発明によるＣＡＬＳ／ＥＣ「受発注者間の情報共有システム」の統合化方式を動作させるデータを記録媒体に記録させ、この記録媒体をインストールすることによりＣＡＬＳ／ＥＣ「受発注者間の情報共有システム」の統合化方式の機能が実現できるようになる。
【図面の簡単な説明】
【０１３８】
【図１】全体の構成を示す図
【図２】情報統合化機構の体系を説明する図
【図３】情報共有システムとのセッション確立を説明する図
【図４】ローカル情報の登録を説明する図
【図５】ローカル情報の修正を説明する図
【図６】情報利活用を説明する図
【図７】本発明の他の実施の形態の構成を示す図
【図８】情報共有システムのイメージ図
【図９】情報共有システムを説明する図
【符号の説明】
【０１３９】
１    受注者ａ端末
２    受注者ｂ端末
３    発注者ａ端末
４    発注者ｂ端末
５    発注者ｃ端末
６    発注者ｄ端末
７    発注者ｅ端末
８    情報共有サーバａ
９    情報共有サーバｂ
１０    ネットワーク
１１    入力装置
１２    接続インターフェース手段
１３    情報一元化管理装置
１４    ローカル情報登録・修正手段
１５    ローカル情報蓄積装置
１６    情報利活用手段
１７    出力装置
２０    情報共有システムａ
３０    情報共有システムｂ
４１    受注者ａ端末
４２    受注者ｂ端末
５０    ＡＳＰ事業者サーバ
５１    入力手段
５２    接続インターフェース手段
５３    情報一元化管理装置
５４    ローカル情報登録・修正手段
５５    ローカル情報蓄積装置
５６    情報利活用手段
５７    出力手段
４１０    アクセス手段
４１１    入力装置
４１７    出力装置
【図１】
2005071220.tif 000003
【図２】
2005071220.tif 000004
【図３】
2005071220.tif 000005
【図４】
2005071220.tif 000006
【図５】
2005071220.tif 000007
【図６】
2005071220.tif 000008
【図７】
2005071220.tif 000009
【図８】
2005071220.tif 000010
【図９】
2005071220.tif 000011